(57)【特許請求の範囲】
【請求項１】
太陽光パネルを所定の傾斜角で支持する太陽光パネルの支持構造体であって、
第１の太陽光パネルの前端を支持する第１の支持部材と、
前記第１の太陽光パネルの後端と、前記第１の太陽光パネルの後方に位置する第２の太陽光パネルの前端とを支持する第２の支持部材と、
前記第２の太陽光パネルの後端を支持する第３の支持部材と、
前記第１〜第３の支持部材に締結固定され前記第１及び第２の太陽光パネルの前端及び／又は後端を固定する固定部材と、
並列配置された複数の太陽光パネルの間に嵌め込まれることによって太陽光パネル同士の間隔を一定に維持させる金属製の板状部材からなるパネル間隔維持用スペーサと、からなり、
前記パネル間隔維持用スペーサは、前記板状部材の一方の辺から対向する他方の辺に向かって形成される凸状の凸条部と、該一方の辺の該凸条部の形成位置の両側に垂直に屈曲して形成されるフランジとを有し、前記凸条部が前記隣り合う太陽光パネルの間に嵌め込まれたとき前記フランジが前記隣り合う前記太陽光パネルの前端のコーナー部に当接することを特徴とする太陽光パネルの支持構造体。
【請求項２】
前記第１の支持部材は、コンクリートブロックが嵌合する嵌合部と、前記第１の太陽光パネルの前端を支持する第１の前端支持部とから構成され、
前記第１の前端支持部には、前記第１の太陽光パネルの前端の設置位置を決めるための第１の位置決め部が立設されていることを特徴とする請求項１に記載の太陽光パネルの支持構造体。
【請求項３】
前記第２の支持部材は、コンクリートブロックが嵌合する嵌合部と、前記第１の太陽光パネルの後端を支持する第１の後端支持部と、前記第２の太陽光パネルの前端を支持する第２の前端支持部とから構成され、
前記第２の前端支持部には、前記第２の太陽光パネルの前端の設置位置を決めるための第２の位置決め部が立設されていることを特徴とする請求項１または２記載の太陽光パネルの支持構造体。
【請求項４】
前記第３の支持部材は、コンクリートブロックが嵌合する嵌合部と、前記第２の太陽光パネルの後端を支持する第２の後端支持部とから構成されていることを特徴とする請求項１〜３のいずれかに記載の太陽光パネルの支持構造体。
【請求項５】
前記第１の前端支持部及び前記第１の後端支持部の設置面の裏面側及び／又は前記第２の前端支持部及び前記第２の後端支持部の設置面の裏面側には、リブが形成されていることを特徴とする請求項１〜４のいずれかに記載の太陽光パネルの支持構造体。
【請求項６】
前記第１〜第３の支持部材の前記嵌合部は貫通孔を有し、該貫通孔に挿通される締結部材によって地面に設置されるコンクリートブロックと前記第１〜第３の支持部材の前記嵌合部が固定されることを特徴とする請求項２〜４のいずれか１項に記載の太陽光パネルの支持構造体。
【請求項７】
前記第１〜第３の支持部材の前記嵌合部は貫通孔を有し、該貫通孔に挿通される締結部材によって地面に設置され上面に前記締結部材を挿通するレール溝を有するコンクリートブロックと前記第１〜第３の支持部材の前記嵌合部が固定されることを特徴とする請求項２〜４のいずれか１項に記載の太陽光パネルの支持構造体。
【請求項８】
前記固定部材は、底辺部と、直立部と、パネル押さえ部とが略Ｚ字状に連設した構成であって、前記太陽光パネルの前端及び後端を前記パネル押さえ部で押圧固定することを特徴とする請求項１〜６のいずれか１項に記載の太陽光パネルの支持構造体。
【請求項９】
前記固定部材は、前記第１〜第３の支持部材に設置する太陽光パネルの前端に雨樋が設けられる場合、該雨樋の設置幅に応じて前記底辺部の長さが長さ方向に長くなることを特徴とする請求項８に記載の太陽光パネルの支持構造体。
【請求項１０】
前記固定部材は、底辺部と、傾斜部と、パネル押さえ部とが略Ｚ字状に連設した構成であって、前記太陽光パネルの前端及び後端を前記パネル押さえ部で押圧固定することを特徴とする請求項１〜６のいずれか１項に記載の太陽光パネルの支持構造体。
【請求項１１】
前記固定部材は、前記底辺部に前記各支持部と固定するための締結部材を挿通させるための貫通孔を有することを特徴とする請求項１０に記載の太陽光パネルの支持構造体。
【請求項１２】
前記固定部材は、前記傾斜部に前記各位置決め部に嵌合する孔を有することを特徴とする請求項２、３又は１０に記載の太陽光パネルの支持構造体。
【請求項１３】
前記各支持部と前記固定部材との間には、設置される前記太陽光パネルの厚さに対応する長さのパネル厚さ対応スペーサを有することを特徴とする請求項１〜１２のいずれか１項に記載の太陽光パネルの支持構造体。
【請求項１４】
前記パネル厚さ対応スペーサは、中空状の円筒形状であることを特徴とする請求項１３記載の太陽光パネルの支持構造体。
【請求項１５】
前記第２の支持部材は、直列に複数配置された第２の太陽光パネルの前端および後端をそれぞれ支持することを特徴とする請求項１〜１４のいずれか１項に記載の太陽光パネルの支持構造体。
【発明の詳細な説明】
【技術分野】
【０００１】
本発明は、太陽光パネルを支持する支持構造体に関し、特に、簡易な構成で、かつ強固に設置面に対して太陽光パネルを支持することが可能な太陽光パネルの支持構造体に関する。
【背景技術】
【０００２】
近年、クリーンエネルギーといわれる太陽光パネルによる発電が注目され、特に一般住宅への普及も進んでいるほか、工場の屋根やビルの屋上、農地にも設置するといった今まで利用されることがなかった場所にも太陽光パネルの設置が進められている。例えば、住宅の屋根に設置する場合には、屋根部材と一体的に製造された屋根一体型の太陽光パネルや、屋根上の瓦の上に縦桟や横桟を用いて架台を組み、そこに太陽光パネルを設置する屋根置き型と呼ばれる設置方法などがある。
【０００３】
このような設置方法は、主に傾斜した屋根上に設置することが前提となっており、ビルの屋上のように屋根上がほぼ平坦な状態の屋根に太陽光パネルをそのまま水平設置すると、太陽光の入射角度が浅くなり、発電量の低下が生じるといった問題があった。
そこで、太陽光パネルを傾斜設置させるための架台を用いて、太陽光パネルの受光面を所定の角度となるように傾斜支持させていた。
【０００４】
例えば、特許文献１に記載の太陽光発電装置では、コンクリートにアンカーボルト等で固定される固定用金具によって所定の傾斜角で太陽電池モジュールを支持するようにしたものである。この太陽光発電装置によれば、設置面に対して所定の角度で強固に太陽電池モジュールを固定することができる、としている。
【先行技術文献】
【特許文献】
【０００５】
【特許文献１】特開２００６−２１０６１３号公報
【発明の概要】
【発明が解決しようとする課題】
【０００６】
しかしながら、特許文献１に記載の発明によれば、以下のような問題があった。
（１）設置面であるコンクリートにアンカーボルトの埋設工事などの基礎工事を行う必要があり工事期間が長くなってしまうという問題がある。
（２）また、設置面に形成した穴から雨水が侵入して設置面を痛め、また穴を形成することからコンクリート面の損傷が生じて、その結果、設置面の寿命が短くなるという問題もあった。
【０００７】
本発明はかかる問題に鑑みてなされたものであって、設置面に特別な工事をする必要がなく、簡単な構造で組み立て工程数を減らすことができる太陽光パネルの支持構造体を提供することを目的とする。
【課題を解決するための手段】
【０００８】
上記目的を達成するために、本発明の太陽光パネルの支持構造体は、太陽光パネルを所定の傾斜角で支持する太陽光パネルの支持構造体であって、第１の太陽光パネルの前端を支持する第１の支持部材と、前記第１の太陽光パネルの後端と、前記第１の太陽光パネルの後方に位置する第２の太陽光パネルの前端とを支持する第２の支持部材と、前記第２の太陽光パネルの後端を支持する第３の支持部材と、前記第１〜第３の支持部材に締結固定され前記第１及び第２の太陽光パネルの前端及び／又は後端を固定する固定部材と、並列配置された複数の太陽光パネルの間に嵌め込まれることによって太陽光パネル同士の間隔を一定に維持させる金属製の板状部材からなるパネル間隔維持用スペーサと、からなり、前記パネル間隔維持用スペーサは、前記板状部材の一方の辺から対向する他方の辺に向かって形成される凸状の凸条部と、該一方の辺の該凸条部の形成位置の両側に垂直に屈曲して形成されるフランジとを有し、前記凸条部が前記隣り合う太陽光パネルの間に嵌め込まれたとき前記フランジが前記隣り合う前記太陽光パネルの前端のコーナー部に当接することを特徴とする。
【０００９】
また、本発明の太陽光パネルの支持構造体は、前記第１の支持部材は、コンクリートブロックが嵌合する嵌合部と、前記第１の太陽光パネルの前端を支持する第１の前端支持部とから構成され、前記第１の前端支持部には、前記第１の太陽光パネルの前端の設置位置を決めるための第１の位置決め部が立設されていることを特徴とする。
【００１０】
また、本発明の太陽光パネルの支持構造体は、前記第２の支持部材は、コンクリートブロックが嵌合する嵌合部と、前記第１の太陽光パネルの後端を支持する第１の後端支持部と、前記第２の太陽光パネルの前端を支持する第２の前端支持部とから構成され、
前記第２の前端支持部には、前記第２の太陽光パネルの前端の設置位置を決めるための第２の位置決め部が立設されていることを特徴とする。
【００１１】
また、本発明の太陽光パネルの支持構造体は、前記第３の支持部材は、コンクリートブロックが嵌合する嵌合部と、前記第２の太陽光パネルの後端を支持する第２の後端支持部とから構成されていることを特徴とする。
【００１２】
また、本発明の太陽光パネルの支持構造体は、前記第１の前端支持部及び前記第１の後端支持部の設置面の裏面側及び／又は前記第２の前端支持部及び前記第２の後端支持部の設置面の裏面側には、リブが形成されていることを特徴とする。
【００１３】
また、本発明の太陽光パネルの支持構造体は、前記第１〜第３の支持部材の前記嵌合部は貫通孔を有し、該貫通孔に挿通される締結部材によって地面に設置されたコンクリートブロックと前記第１〜第３の支持部材の前記嵌合部が固定されることを特徴とする。
【００１４】
また、本発明の太陽光パネルの支持構造体は、前記第１〜第３の支持部材の前記嵌合部は貫通孔を有し、該貫通孔に挿通される締結部材によって地面に設置され上面に前記締結部材を挿通するレール溝を有するコンクリートブロックと前記第１〜第３の支持部材の前記嵌合部が固定されることを特徴とする。
【００１５】
また、本発明の太陽光パネルの支持構造体は、前記固定部材は、底辺部と、直立部と、パネル押さえ部とが略Ｚ字状に連設した構成であって、前記太陽光パネルの前端及び後端を前記パネル押さえ部で押圧固定することを特徴とする。
【００１６】
また、本発明の太陽光パネルの支持構造体は、前記固定部材は、前記第１〜第３の支持部材に設置する太陽光パネルの前端に沿って雨樋が設けられる場合、該雨樋の設置幅に応じて前記底辺部の長さが長さ方向に長くなることを特徴とする。
【００１７】
また、本発明の太陽光パネルの支持構造体は、前記固定部材は、底辺部と、傾斜部と、パネル押さえ部とが略Ｚ字状に連設した構成であって、前記太陽光パネルの前端及び後端を前記パネル押さえ部で押圧固定することを特徴とする。
【００１８】
また、本発明の太陽光パネルの支持構造体は、前記固定部材は、前記底辺部に前記各支持部と固定するための締結部材を挿通させるための貫通孔を有することを特徴とする。
【００１９】
また、本発明の太陽光パネルの支持構造体は、前記固定部材は、前記傾斜部に前記各位置決め部に嵌合する孔を有することを特徴とする。
【００２０】
また、本発明の太陽光パネルの支持構造体は、前記各支持部と前記固定部材との間には、設置される前記太陽光パネルの厚さに対応する長さのパネル厚さ対応スペーサを有することを特徴とする。
【００２１】
また、本発明の太陽光パネルの支持構造体は、前記パネル厚さ対応スペーサは、中空状の円筒形状であることを特徴とする。
【００２３】
さらに、本発明の太陽光パネルの支持構造体は、前記第２の支持部材は、直列に複数配置された第２の太陽光パネルの前端および後端をそれぞれ支持することを特徴とする。
【発明の効果】
【００２４】
本発明によれば、コンクリートブロックと簡単な構造体によって強固に設置面に太陽光パネルを設置することができる。
また、設置面に穴を空けたりすることなく設置することができるため、設置面の損傷による水漏れなどを防止することができる。
また、設置だけでなく撤去することも容易であり現状復帰にも時間をかけることなく行うことができるため、設置及び撤去の両方にコストをかけなくて済むことができる。
また、設置する太陽光パネルの構造に対応する形状を有する固定部材によって太陽光パネルを確実に第１〜第３の支持部材に固定することができる。
さらに、簡単な構造の部材によって並列配置された隣り合う太陽光パネルの隙間を一定の間隔にすることができ、容易に垂直方向のずれを調整することができる。
【図面の簡単な説明】
【００２５】
【図１】本発明に係る支持構造体で支持された太陽光パネルを模式的に示した斜視図である。
【図２】本発明に係る支持構造体で支持された太陽光パネルを模式的に示した側面図である。
【図３】（ａ）は、第１の支持部材の構成を示した側面図であり、（ｂ）は、その上面図である。
【図４】（ａ）は、第２の支持部材の構成を示した側面図であり、（ｂ）は、その上面図である。
【図５】（ａ）は、第３の支持部材の構成を示した側面図であり、（ｂ）は、その上面図である。
【図６】（ａ）は、固定部材の構成を示した側面図であり、（ｂ）は、その上面図である。
【図７】図７（ａ）は、第１〜第３の支持部材に固定部材を締結固定する際に用いるスペーサの構成を示した図であり、図７（ｂ）〜（ｃ）は、第１のスペーサを第１〜第３の支持部材に取り付けた状態を示した図である。
【図８】（ａ）及び（ｂ）は、第１の太陽光パネルを支持構造体に設置する例を示した図である。
【図９】第２の太陽光パネルの前端部分を第２の支持部材に設置する例を示した図である。
【図１０】第２の太陽光パネルの後端部分を第３の支持部材に設置する例を示した図である。
【図１１】図１１（ａ）は、第２のスペーサの構成を示した正面図であり、図１１（ｂ）は、第２のスペーサの構成を示した下面図である。
【図１２】並列配置された太陽光パネルにスペーサが設置された状態を示した図である。
【図１３】スペーサを太陽光パネル間に取り付ける状態を示した図である。
【図１４】第２の実施形態に係る支持構造体で支持された太陽光パネルを模式的に示した側面図である。
【図１５】図１５（ａ）〜（ｃ）は、コンクリートブロックに対して各支持部材を固定する方法を示した図である。
【図１６】第３の実施形態に係る太陽光パネルの支持構造体によって支持された太陽光パネルを模式的に示した側面図である。
【図１７】図１７は、第４の実施形態に係る太陽光パネルの支持構造体を示した図である。
【図１８】図１８（ａ）は、固定部材の構成を示した側面図であり、図１８（ｂ）は、固定部材の構成を示した上面図である。
【図１９】図１９は、第５の実施形態に係る太陽光パネルの支持構造体を示した図である。
【図２０】図２０（ａ）は、固定部材の構成を示した側面図であり、図２０（ｂ）は、固定部材の構成を示した上面図である。
【発明を実施するための最良の形態】
【００２６】
＜第１の実施形態＞
次に、図面を参照して第１の実施形態に係る太陽光パネルの支持構造体について説明する。
図１は、本発明に係る支持構造体で支持された太陽光パネルを模式的に示した斜視図であり、図２は、本発明に係る支持構造体で支持された太陽光パネルを模式的に示した側面図である。
【００２７】
図示するように本発明の支持構造体１００は、設置する地面に対して２枚の太陽光パネル１を所定の傾斜角で支持するものであり、これを１ユニットとして、例えば、工場の屋根やビルの屋上の陸屋根に複数設置する。
【００２８】
この支持構造体１００は、１枚目（図中の左側の太陽光パネルを指す）太陽光パネル１の前端を支持する第１の支持部材１０と、１枚目の太陽光パネル１の後端及び２枚目の太陽光パネル１（図中の右側の太陽光パネルを指す）の前端を支持する第２の支持部材２０と、２枚目の太陽光パネル１の後端を支持する第３の支持部材３０とから構成されている。
【００２９】
太陽光パネル１の外枠部分は、第１〜第３の支持部材１０，２０，３０の各支持部（後述する）に載置され、固定部材４０で上方から押圧されるようにして挟持固定される。
【００３０】
また、第１〜第３の支持部材１０，２０，３０の各凹部（後述する）にはコンクリートブロック３が嵌合される。このことにより支持構造体１００自体が荷重を得ることができ、その加重で地面に対して強固に設置することができる。
【００３１】
次に、図３〜５を参照して、それぞれの支持部材の構成について説明する。
図３（ａ）は、第１の支持部材１０の構成を示した側面図であり、図３（ｂ）は、第１の支持部材１０の構成を示した上面図である。
第１の支持部材１０は、１枚目の太陽光パネル１をその前端において支持するものであり、前面直立部１１と、底面部１２と、背面直立部１３と、１枚目の太陽光パネル１の前端部分を支持する前端支持部１４とから構成されている。
【００３２】
前面直立部１１及び背面直立部１３は、底面部１２の両端から略直角に立ち上がるようにして延設され、これらの各部は側面視で凹部を形成する。また、前端支持部１４は、背面直立部１３の端部から所定の傾斜角で上方に上がるようにして延設されている。
【００３３】
前面直立部１１と底面部１２と背面直立部１３とで形成される凹部空間には上記したコンクリートブロック３を嵌合させる。前端支持部１４には、第１の太陽光パネル１の前端部分を当接させて設置した際にその設置位置を決めるための位置決め部１５と、後述する締結部材を挿通させる貫通孔１６が設けられている。なお、位置決め部１５は、前端支持部１４から起き上がるように立設形成されている。
【００３４】
また、前端支持部１４から背面直立部１３の地面側（裏面側）には、前端支持部１４の強度を向上させるためのリブ１７が形成されている。
【００３５】
なお、第１の支持部材の背面直立部１３の高さ及び前端支持部１４の傾斜角度は、設置状況や設置する太陽光パネル１の枚数によって変更することが可能である。
【００３６】
図４（ａ）は、第２の支持部材２０の構成を示した側面図であり、図４（ｂ）は、第２の支持部材２０の構成を示した上面図である。
第２の支持部材２０は、１枚目の太陽光パネル１の後端と２枚目の太陽光パネル１の前端を支持するものである。
【００３７】
図４（ａ）に示すように、第２の支持部材２０は、１枚目の太陽光パネル１をその後端において支持するとともに、２枚目の太陽光パネル１をその前端においてを支持するものであり、１枚目の太陽光パネル１の後端を支持する後端支持部２１と、前面直立部２２と、底面部２３と、背面直立部２４と、２枚目の太陽光パネル１の前端を支持する前端支持部２５とから構成されている。
【００３８】
前面直立部２２及び背面直立部２４は、底面部２３の両端から略直角に立ち上がるようにして延設され、これらの各部は側面視で凹部を形成する。
【００３９】
なお、図示するように、前面直立部２２と背面直立部２４の高さが異なり、背面直立部２４は前面直立部２２と比べて低い構成となっている。背面直立部２４は２枚目の太陽光パネル１の前端を支持するものであり、所定の傾斜面を形成するために前面直立部２２と比べて低い構成としている。
【００４０】
また、前面直立部２２の端部からは所定の傾斜角で下がるようにして後端支持部２１が延設されている。第１の支持部材１０の前端支持部１４と第２の支持部材２０の後端支持部２１とで所定の傾斜面を形成するようにするためである。
【００４１】
さらに、背面直立部２４の端部からは所定の傾斜角で上がるようにして前端支持部２５が延設されている。２枚目の太陽光パネル１の前端を前端支持部２５で支持するためである。
【００４２】
なお、後端支持部２１には、締結部材を挿通するための貫通孔２６が形成されている。また、後端支持部２１から前面直立部２２の地面側（裏面側）にわたって、後端支持部２１の強度を向上させるためのリブ２８が形成されている。
【００４３】
前面直立部２２と底面部２３と背面直立部２４とで形成される凹部空間には上記したコンクリートブロック３を嵌合させる。前端支持部２５は、２枚目の太陽光パネル１の前端を支持するものであり、２枚目の太陽光パネル１の前端部分を当接させて設置した際にその設置位置を決めるための位置決め部２７と、締結部材を挿通させる貫通孔２６が設けられている。なお、位置決め部２７は、前端支持部２５から起き上がるように立設形成されている。
【００４４】
また、前端支持部２５から背面直立部２４の地面側（裏面側）にわたって前端支持部２５の強度を向上させるためのリブ２８が形成されている。
【００４５】
なお、第２の支持部材の前面直立部２２及び背面直立部２４の高さ、後端支持部２１及び前端支持部２５の傾斜角度は、設置状況や設置する太陽光パネル１の枚数によって変更することが可能である。
【００４６】
次に、第３の支持部材の構成について説明する。
図５（ａ）は、第３の支持部材の構成を示した側面図であり、図５（ｂ）は、第３の支持部材の構成を示した上面図である。
図示するように、第３の支持部材３０は、２枚目の太陽光パネル１の後端を支持するものであり、２枚目の太陽光パネル１の後端を支持する後端支持部３１と、前面直立部３２と底面部３３と、背面直立部３４とから構成されている。前面直立部３２及び背面直立部３４は、底面部３３の両端から略直角に立ち上がるようにして延設され、これらの各部は側面視で凹部を形成する。
【００４７】
なお、前面直立部３２と背面直立部３４との高さは異なり、図示するように、前面直立部３２に比べて背面直立部３４の高さが低く構成されている。また、後端支持部３１は、前面直立部３２の端部から所定の傾斜角で下方に下がるように延設されている。第２の支持部材２０の前端支持部２５と第３の支持部材３０の後端支持部３１とで所定の傾斜面を形成するようにするためである。
【００４８】
前面直立部３２と底面部３３と背面直立部３４とで形成される凹部空間には上記したコンクリートブロック３を嵌合させる。
後端支持部３１には、締結部材を挿通するための貫通孔３５が設けられている。また、後端支持部３１から前面直立部３２の地面側（裏面側）にわたって後端支持部３１の強度を向上させるためのリブ３６が形成されている。
【００４９】
なお、後端支持部３１の傾斜角度及び前面直立部３２の高さは設置状況や設置する太陽光パネル１の枚数によって変更することが可能である。
【００５０】
また、図２に示すように、第１の支持部材１０の前端支持部１４の設置面からの高さＡより第２の支持部材２０の前端支持部２５の設置面からの高さＢの方が高く構成されている。これは、第２の支持部材２０の背面直立部２４が第１の支持部材１０の背面直立部１３よりも高く構成されているためである。前端支持部２５の設置面からの高さＢが、前端支持部１４の設置面からの高さＡと同程度もしくは低い場合には、第２の支持部材２０の前面直立部２２の影が２枚目の太陽光パネル１にうつってしまい発電量が低下してしまう。そのため、第２の支持部２０の前端支持部２５の設置面からの高さＢを第１の支持部１０の前端支持部１４の設置面からの高さＡより高く構成している。
【００５１】
次に、太陽光パネル１の枠体部分を挟持固定する固定部材の構成について説明する。
図６（ａ）は、固定部材の構成を示した側面図であり、図６（ｂ）は、固定部材の構成を示した上面図である。
図示するように、固定部材４０は略Ｚ字状の板状部材であって、パネル押さえ部４１と直立部４２と底辺部４３とから構成されている。直立部４２は底辺部４３に対して略直角に形成され、パネル押さえ部４１も同様に直立部４２に対して略直角に形成されている。
【００５２】
また、底辺部４３には貫通孔４４が設けられている。この貫通孔４４に締結部材（例えば、ボルト）を挿通させ締結することにより、第１〜第３の支持部材１０，２０，３０に固定部材４０を固定する。そして、固定部材４０の開口部に太陽光パネル１の前端あるいは後端を嵌合挟持させて押圧固定する。
なお、固定部材４０においても、全体の強度を向上させるため、略Ｚ字状の形状にわたってリブ４５が形成されている。
【００５３】
次に、固定部材を第１〜第３の支持部材に締結固定する際に用いる第１のスペーサについて説明する。
図７（ａ）は、第１〜第３の支持部材に固定部材を締結固定する際に用いるスペーサの構成を示した図であり、図７（ｂ）〜（ｃ）は、第１のスペーサを第１〜第３の支持部材に取り付けた状態を示した図である。
図７（ａ）に示すように、第１のスペーサ５３は金属製であって、中空状の円筒形状で構成されている。第１のスペーサ５３の中空状の内筒の直径は挿通させるボルトの直径よりやや大きいため、ボルトに対してスムーズに挿通させることができる。また、長さの異なる第１のスペーサ５３を複数用意しておくことで、第１〜第３の支持部材１０〜３０に設置する太陽光パネル１の厚さに対応することができる。
【００５４】
そして、この第１のスペーサの使用方法は、図７（ｂ）〜（ｃ）に示すように、第１〜第３の支持部材１０〜３０の前端支持部１４，２５及び後端支持部２１，３１には、予めボルト５０が挿通されており、このボルト５０にワッシャー５２とナット５１を挿通させ、次に、設置する太陽光パネル１の厚さに対応する第１のスペーサ５３を挿通させる。そして、固定部材４０を挿通させ、ナット５２で締結固定する。
従来の支持構造体では、高さ調整するために複数のナットをボルトに挿通させていたが、ナットをボルトに挿通させるのに時間を要するため作業コストがかかってしまう問題があった。しかし、設置する太陽光パネル１の厚さに対応する長さの第１のスペーサ５３をボルトに挿通させることにより、容易に所望の高さを確保することができる。また、ボルトの直径より中空状の内筒の直径が大きいため、ボルトに対してスムーズに第１のスペーサ５３を挿通させることができるため、作業効率を向上させることができる。
【００５５】
次に、太陽光パネル１の設置方法について説明する。
図８（ａ）〜（ｂ）は、１枚目の太陽光パネル１を支持構造体に設置する例を示した図である。
図８（ａ）に示すように、第１の支持部材１０の前端支持部１４に設けられている位置決め部１５に当接させるようにして１枚目の太陽光パネル１の前端部分を載置する。前端支持部１４に設けられている貫通孔１６には予め締結部材であるボルト５０が地面側（裏面側）から挿通させネジ部分を上方に突出させる。
【００５６】
このボルト５０は根角ボルトであって、貫通孔１６に嵌合させることができるため作業中に落下することがない。また、根角ボルトのため、貫通孔１６に嵌合した際に、その自由な回転を防ぐことができる。そして、このボルト５０にワッシャー５２及びナット５１、第１のスペーサ５３を挿通させておく。
【００５７】
次に、固定部材４０のパネル押さえ部４１が太陽光パネル１の前端部分に当接するようにして、固定部材４０の底辺部４３に設けられた貫通孔４４にボルト５０のネジ部分を挿通させナット５２で締結する。
【００５８】
同様に、第２の保持部材２０の後端支持部２１の貫通孔２６にボルト５０を予め挿通させ、このボルト５０にワッシャー５２及びナット５１、第１のスペーサ５３を挿通させておく。そして、第２の保持部材２０の後端支持部２１に載置された第１の太陽光パネル１の後端部分に固定部材４０のパネル押さえ部４１を当接させるようにして、底辺部４３に設けられた貫通孔４４に予め設置されたボルト５０のネジ部分を挿通させナットで締結させる。
これにより、第１の支持部材１０と第２の支持部材２０に１枚目の太陽光パネル１を支持及び固定することができる。
【００５９】
次に、図９及び図１０を参照して、第２の支持部材及び第３の支持部材に２枚目の太陽光パネル１を設置する例について説明する。
図９は、２枚目の太陽光パネルの前端部分を第２の支持部材に設置する例を示した図であり、図１０は、２枚目の太陽光パネルの後端部分を第３の支持部材に設置する例を示した図である。
【００６０】
まず、図９に示すように、第２の支持部材２０の前端支持部２５に２枚目の太陽光パネル１の前端部分を載置する。そして、第２の保持部材２０の前端支持部２５の貫通孔２６にボルト５０を予め挿通させ、このボルト５０にワッシャー５２及びナット５１、第１のスペーサ５３を挿通させておく。次に、固定部材４０のパネル押さえ部４１が２枚目の太陽光パネル１の前端部分に当接するようにして、固定部材４０の底辺部４３に設けられた貫通孔４４にボルト５０のネジ部分を挿通させナット５２で締結する。
【００６１】
同様に、第３の保持部材２０の後端支持部３１の貫通孔３６にボルト５０を予め挿通させ、このボルト５０にワッシャー５２及びナット５１、第１のスペーサ５３を挿通させておく。第３の保持部材３０の後端支持部３１に載置された２枚目の太陽光パネル１の後端部分に固定部材４０のパネル押さえ部４１を当接させるようにして、底辺部４３に設けられた貫通孔４４に予め設置されたボルト５０のネジ部分を挿通させナットで締結させる。
これにより、第２の支持部材２０と第３の支持部材３０に２枚目の太陽光パネル１を支持及び固定することができる。
【００６２】
次に、上記した支持構造体によって支持及び固定された太陽光パネルが並列配置された際に、隣り合う太陽光パネルの隙間を調整するための部材について説明する。
図１１（ａ）は、第２のスペーサの構成を示した正面図であり、図１１（ｂ）は、第２のスペーサの構成を示した下面図である。
図示するように第２のスペーサ６０は金属製の板状部材であって、当接部６１と、当接部６１の略中央に設けられた凸部６２と、当接部６１の両端付近に設けられる孔６３と、当接部６１の一辺から直角に屈曲して形成されるフランジ６４とから構成されている。凸部６２は、当接部６１から所定の高さで立ち上がり、所定の幅を有するようにして設けられている。孔６３は、ビス等を挿通させて第２のスペーサ６０を太陽光パネル１に取り付けるためのものである。フランジ６４は、隣り合う太陽光パネル１のがたつきを水平にする、いわゆる不陸を調整するためのものである。
【００６３】
次に、第２のスペーサ６０の設置方法について説明する。
図１２は、並列配置された太陽光パネルに第２スペーサが設置された状態を示した図であり、図１３は、第２のスペーサを太陽光パネル間に取り付ける状態を示した図である。
図１２、図１３に示すように、第２のスペーサ６０は、すでに設置されている複数の太陽光パネル１の隣り合う太陽光パネル１のコーナー部の隙間に設置する。まず、隙間に第２のスペーサ６０の凸部６２を嵌め込み、隙間が凸部６２の幅となるように両側の太陽光パネル１を凸部６２側に寄せて隙間Ａを調整する。次に、太陽光パネル１の下面をフランジ６４に当接させて両側の太陽光パネル１の垂直方向のがたつきをフランジ６４と略平行にすることで調整する。そして、ビス等を孔６３に挿通させて太陽光パネル１の側面に固定する。
【００６４】
なお、図では第２のスペーサ６０は隣り合う太陽光パネル１の１つの隙間のみにそれぞれ１つずつ配置されている例を示しているが、これに限られるものではなく、隣り合う太陽光パネル１のコーナー部分であれば太陽光パネル１のもう１つのコーナー部にもまた、太陽光パネル１のコーナー部の隙間にも配置しても良いことは言うまでもない。
【００６５】
このように、第２のスペーサ６０の凸部６２を隣り合う太陽光パネル１の隙間Ａに嵌め込むことで太陽光パネル１の隙間の幅を一定にすることができる。また、太陽光パネル１の下面をフランジ６４に当接させることで隣り合う太陽光パネル１の垂直方向のがたつきを調整することができる。
なお、この第２のスペーサ６０は、上記した支持部材で支持及び固定された太陽光パネルのみならず、例えば、住宅や工場の屋根の勾配に沿って設置された太陽光パネルや他の方法によって設置される太陽光パネルにも取り付けることは可能である。
【００６６】
＜第２の実施形態＞
次に、第２の実施形態に係る太陽光パネルの支持構造体について説明する。
図１４は、第２の実施形態に係る支持構造体で支持された太陽光パネルを模式的に示した側面図である。
なお、上記した第１の実施形態の場合と、本実施形態の場合とにおいて共通する構成については同一の符号を付し、説明は省略する。
第２の実施形態に係る太陽光パネルの支持構造体は、ビルやマンションの屋上のような陸屋根ではなく、農地等の地面に太陽光パネルを設置するためのものである。
図示するように、予め整地された地面には第１〜第３の支持部材１０〜３０を固定するためのコンクリートブロック３が設置されており、このコンクリートブロック３に対して第１〜第３の支持部材１０〜３０を固定することができる。そして、コンクリートブロック３に固定された第１〜第３の支持部材１０〜３０に太陽光パネル１，２に支持及び固定させる。
【００６７】
次に、図１５を参照して、コンクリートブロックに各支持部材を固定する方法について説明する。
図１５（ａ）〜（ｃ）は、コンクリートブロックに対して各支持部材を固定する方法を示した図である。
図示するように、コンクリートブロック３は、第１〜第３の支持部材１０〜３０を固定する面の略中央にレール溝３ａが形成されている。一方、第１〜第３の支持部材１０〜３０のそれぞれの底部１２，２３，３３には貫通孔１２ａ，２３ａ，３３ａが形成されている。
レール溝３ａには、コンクリートブロック３と各支持部材１０〜３０を固定するためのボルト５１の頭部を挿通させ、レール溝３ａが形成された面からボルト５１の軸部を突出させておく。そして、ボルト５１の軸部を各支持部材１０〜３０の底部１２，２３，３３に形成された貫通孔１２ａ，２３ａ，３３ａに挿通させ、ナット５２で締結することにより、コンクリートブロック３に第１〜第３の支持部材１０〜３０を固定することができる。
そして、第１〜第３の支持部材１０〜３０に上記したような方法で太陽光パネル１を支持及び固定することにより、整地された地面に太陽光パネルを敷設することができる。
【００６８】
また、図示しないが、第１〜第３の支持部材１０〜３０の底部１２，２３，３３に貫通孔１２ａ，２３ａ，３３ａが形成されていることで、例えば、折板屋根に特別な取付金具を必要とすることが容易に第１〜第３の支持部材１０〜３０を取り付けることができ、太陽光パネル１を支持及び固定することができる。この場合、予め折板屋根の頂部から突出したボルトを第１〜第３の支持部材１０〜３０の貫通孔１２ａ，２３ａ，３３ａに挿通させ、ナットで締結固定することで第１〜第３の支持部材１０〜３０を折板屋根に取り付けることができ、この第１〜第３の支持部材１０〜３０で太陽光パネル１を支持及び固定することができる。
【００６９】
＜第３の実施形態＞
次に、図１６を参照して、第３の実施形態に係る太陽光パネルの支持構造体について説明する。
図１６は、第３の実施形態に係る太陽光パネルの支持構造体によって支持された太陽光パネルを模式的に示した側面図である。
図示するように、上記した実施形態のように第１〜第３の支持部材１０〜３０によって支持及び固定された２枚の太陽光パネルを１ユニットとして設置面に設置する場合とは異なり、第３の実施形態に係る太陽光パネルの支持構造体は、連続的に複数枚の太陽光パネルを第１〜第３の支持部材１０〜３０で支持及び固定するものである。
図１５では、４枚の太陽光パネル１を連続的に第１〜第３の支持部材１０〜３０で支持及び固定したものであり、図中の左から２枚目以降の隣り合う太陽光パネル１は第２の支持部材２０によって支持及び固定されている。このように、２枚目以降の太陽光パネル１を第２の支持部材２０で支持及び固定することで、連続的に、かつ、複数枚の太陽光パネルを設置面に設置することができる。
また、図１６では、４枚の太陽光パネルを第１〜第３の支持部材１０〜３０で支持及び固定しているが、４枚以上の太陽光パネルを連続的に支持及び固定することも可能である。
なお、上記したように、第３の実施形態においても第２の支持部材２０の前端支持部２５の設置面からの高さＢは、第１の支持部材１０の前端支持部１４の設置面からの高さＡよりも高くなっている。これにより、２枚目の太陽光パネル１に第２の支持部材２０の前面直立部２４の影がうつることを防止することができる。
また、第１の支持部材１０の前端支持部１４の設置面からの高さＡと第２の支持部材２０の前端支持部２５の設置面の高さＢを同じにすることも可能であり、これにより、設置される太陽光パネル１が同じ高さで揃えて設置することができる。
さらに、２枚目以降の太陽光パネル１に第２の支持部材２０の前面直立部２２の影がうつってしまう場合には、２枚目以降の太陽光パネル１を支持及び固定する第２の支持部材２０の前面直立部２２の高さもしくは、背面直立部２４の高さを変えることで太陽光パネル１への影のうつりこみを防止することができる。
【００７０】
＜第４の実施形態＞
次に、図１７〜図１８を参照して、第４の実施形態に係る太陽光パネルの支持構造体について説明する。
図１７は、第４の実施形態に係る太陽光パネルの支持構造体を示した図であり、図１８（ａ）は、固定部材の構成を示した側面図であり、図１８（ｂ）は、固定部材の構成を示した上面図である。
図示するように、第４の実施形態に係る太陽光パネルの支持構造体は、前端の幅方向に略Ｌ字状の雨樋１ａが設けられている太陽光パネル１を支持構造体に設置したものである。第１の支持部材１０及び第２の支持部材２０の前端支持部１４，２５に太陽光パネル１を載置する際、雨樋１ａを前端支持部１４，２５に設けられている位置決め部１５，１７に当接するようにする。このような場合、位置決め部１５，１７から太陽光パネル１の枠体部分までの距離が空いてしまうため、例えば、図６に示す固定部材４０のパネル押さえ部４１では太陽光パネル１の枠体を十分に押さえることが困難である。
【００７１】
そこで、図１８に示すような固定部材７０で太陽光パネル１の枠体部分を押さえることができる。
図示するように、固定部材７０は、略Ｚ字状の板状部材であって、パネル押さえ部７１と直立部７２と底辺部７３とから構成されている。直立部７２は底辺部７３に対して略直角に形成され、パネル押さえ部７１も同様に直立部７２に対して略直角に形成されている。また、底辺部７３には貫通孔７４が設けられている。この貫通孔７４に締結部材（例えばボルト）を挿通させて締結することにより、第１〜第２の支持部材１０，２０に固定部材７０を固定することができる。そして、パネル押さえ部７１で太陽光パネル１の前端及び後端を嵌合挟持させて押圧固定する。
なお、固定部材７０においても、全体の強度を向上させるために略Ｚ字状の形状にわたってリブ７５が形成されている。
【００７２】
この固定部材７０の底辺部７３は、図６に示す固定部材４０の底辺部４３より長い形状となっている。上記したように、位置決め部１５，１７から太陽光パネル１の枠体部分までの距離が空いている場合でも、この固定部材７０であれば、底辺部７３に設けられている貫通孔７４に前端支持部１４，２５に挿通されているボルト５０を挿通させることができる。
【００７３】
＜第５の実施形態＞
次に、図１９〜２０を参照して、第５の実施形態に係る太陽光パネルの支持構造体について説明する。
図１９は、第５の実施形態に係る太陽光パネルの支持構造体を示した図であり、図２０（ａ）は、固定部材の構成を示した側面図であり、図２０（ｂ）は、固定部材の構成を示した上面図である。
図示するように、第５の実施形態に係る太陽光パネルの支持構造体は、薄型の太陽光パネル１を第１〜第３の支持部材１０〜３０で支持したものである。
このように薄型の太陽光パネル１を第１〜第３の支持部材１０〜３０に支持するための固定部材の構成を下記に示す。
【００７４】
図２０に示すように、固定部材８０は底辺部８１と、傾斜部８２と、パネル押さえ部８３とが略Ｚ字状に連設して構成されている。底辺部８１の端部に連設される傾斜部８２は、斜め上方向に傾斜しているため、傾斜部８２の端部に連設されるパネル押さえ部８３は、底辺部８１と同一線上になく、底辺部８１より高い位置にある。底辺部８１には、長孔８４が設けられており、傾斜部８２には矩形状の孔８５が設けられている。また、固定部材８０の幅方向に、固定部材８０の強度を向上させるための２本のリブ８６が設けられている。
【００７５】
次に、支持構造体に薄型の太陽光パネル１を設置する方法について説明する。
第１の支持部材１０の前端支持部１４に設けられている位置決め部１５に当接させるようにして薄型の太陽光パネル１を載置する。予め前端支持部１４の貫通孔１６に挿通されたボルト５０に高さを調整するためのワッシャー５２を挿通させる。このワッシャー５２は、薄型の太陽光パネル１の厚さによって１枚もしくは複数枚をボルト５０に挿通させる。
次に、固定部材８０の長孔８２にボルトを挿通させ、パネル押さえ部８３が太陽光パネル１の枠体部分に当接するようにし、かつ、矩形状の孔８５が位置決め部１５に嵌るように長孔８２の長さ方向に固定部材８０を移動させて位置を調整する。
そして、ボルト５０にナット５１を挿通させて固定部材８０を締結固定することで、薄型の太陽光パネル１を第１の支持部材１０の前端支持部１４に挟持固定することができる。
【００７６】
また、第２の支持部材２０の後端支持部２１に載置された薄型の太陽光パネル１の後端部分を固定部材８０で挟持固定する場合、後端支持部２１に設けられた貫通孔２６に予め挿通されたボルト５０を固定部材８０の長孔８２に挿通させ、パネル押さえ部８３が薄型の太陽光パネル１の枠体部分に当接するようにし、かつ、傾斜部８２が枠体部分の角部に当接するように固定部材８０を長孔８２の長さ方向の範囲で移動させて位置調整する。そして、ナット５１をボルト５０に挿通させ固定部材８０を締結固定することにより薄型の太陽光パネル１を第２の支持部材２０の後端支持部２１に挟持固定することができる。
なお、第２の支持部材２０の前端支持部２５及び第３の支持部材３０の後端支持部３１に薄型の太陽光パネル１を固定する方法も同様である。
【００７７】
なお、第１の支持部材１０の前端支持部１４で薄型の太陽光パネル１を支持する場合、前端支持部１４に位置決め部１５が設けられているため、この位置決め部１５を固定部材８０の矩形状の孔８５に嵌めることで固定部材８０が回転したり位置がずれたりすることを防止することができる。
ところが、第２の支持部材２０の後端支持部２１には位置決め部が設けられていないが、傾斜部８２が薄型の太陽光パネル１の枠体部分の角部に当接することで固定部材８０が回転したり位置がずれたりすることを防止することができる。
【符号の説明】
【００７８】
１    太陽光パネル
３    コンクリートブロック
１０    第１の支持部材
１１、２２、３２    前面直立部
１２、２３、３３    底面部
１３、２４、３４    背面直立部
１４、２５    前端支持部
１６、２６、３５    貫通孔
１５、２７    位置決め部
１７、２８、３６    リブ
２０    第２の支持部材
２１、３１    後端支持部
３０    第３の支持部材
４０、７０、８０    固定部材
４１、７１、８３    パネル押さえ部
４２、７２    直立部
４３、７３、８１    底辺部
４４、７４、８４    貫通孔
５０    ボルト
５１    ナット
５２    ワッシャー
５３    第１のスペーサ
６０    第２のスペーサ
６１    当接部
６２    凸部
６３    孔
６４    フランジ
８２    傾斜部
８５    矩形状の孔
１００    支持構造体
【図１】
0005915986.tif 000002
【図２】
0005915986.tif 000003
【図３】
0005915986.tif 000004
【図４】
0005915986.tif 000005
【図５】
0005915986.tif 000006
【図６】
0005915986.tif 000007
【図７】
0005915986.tif 000008
【図８】
0005915986.tif 000009
【図９】
0005915986.tif 000010
【図１０】
0005915986.tif 000011
【図１１】
0005915986.tif 000012
【図１２】
0005915986.tif 000013
【図１３】
0005915986.tif 000014
【図１４】
0005915986.tif 000015
【図１５】
0005915986.tif 000016
【図１６】
0005915986.tif 000017
【図１７】
0005915986.tif 000018
【図１８】
0005915986.tif 000019
【図１９】
0005915986.tif 000020
【図２０】
0005915986.tif 000021